【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
内腔内を流れる流体の速度を表す超音波信号を検出し、前記速度を示す測定信号を供給するセンサと、
複数のテンプレートを記憶するメモリであって、各テンプレートが前記流体の予想される異なる速度に関し、かつ前記超音波信号に関する波形を表すメモリと、
前記測定信号と前記複数のテンプレートのそれぞれの比較を行って、前記比較の結果に基づいて前記流体の推定速度を求める、前記センサと前記メモリとに通信可能に結合されたプロセッサと、
を備えた流体流測定計。
【請求項２】
前記センサが、
（ｉ）前記内腔内を流れる流体を介して前記超音波信号を送信する第１のトランスデューサと、
（ｉｉ）前記超音波信号の反射、散乱または送信されたコピーを受信する第２のトランスデューサと、
（ｉｉｉ）前記超音波信号の反射、散乱または送信されたコピーから前記測定信号を生成する前端部と、
を備えた、請求項１に記載の流体流測定計。
【請求項３】
前記超音波信号が第１の超音波信号であり、かつ前記測定信号が第１の測定信号であり、
前記第２のトランスデューサが、前記内腔内を流れる流体を介して第２の超音波信号を送信するように更に構成され、
前記第１のトランスデューサが、前記第２の超音波信号の反射、散乱または送信されたコピーを受信するように構成され、
前記前端部が、前記第２の超音波信号の反射、散乱または送信されたコピーに基づいて前記測定信号を生成するように更に構成され、
前記プロセッサが、前記第１および第２の測定信号と前記複数のテンプレートのそれぞれとの比較を行って、前記第１および第２の測定信号と前記複数のテンプレートのそれぞれとの前記比較に基づき、前記流体の推定速度を求めるように構成された、
請求項２に記載の流体流測定計。
【請求項４】
前記複数のテンプレートのそれぞれが、第１のサンプリング周波数で生成され、前記メモリ内に前記第１のサンプリング周波数よりも低い第２のサンプリング周波数で記憶される、請求項１に記載の流体流測定計。
【請求項５】
前記プロセッサが、前記比較を実行する前またはその間に、前記測定信号および前記複数のテンプレートの少なくとも一方を補間するようにさらに構成されている、請求項１に記載の流体流測定計。
【請求項６】
前記プロセッサが、前記比較を実行する前に、第１のランダムな波形を前記測定信号に付加し、第２のランダムな波形を前記複数のテンプレートのそれぞれに付加するようにさらに構成されている、請求項１に記載の流体流測定計。
【請求項７】
前記内腔を規定する管に前記センサを固定するための固定装置をさらに備えた、請求項１に記載の流体流測定計。
【請求項８】
前記流体を前記内腔に流入させる流入口と、
前記流体を前記内腔から流出させる１つまたは複数の流出口と、
を備えたマニホルドをさらに備え、
前記センサが、前記内腔に流入または前記内腔から流出する流体の速度を測定するように構成された、
請求項１に記載の流体流測定計。
【請求項９】
前記推定速度または前記測定信号の表現をサーバに送信するための、前記プロセッサに通信可能に結合された通信インターフェースをさらに備えた、請求項１に記載の流体流測定計。
【請求項１０】
内腔内を流れる流体の速度を推定する方法であって、
（ａ）受信した超音波信号に基づいて、前記内腔内を流れる流体の速度を示す測定信号を取得することと、
（ｂ）前記測定信号と複数のテンプレートのそれぞれとの比較を実行することであって、各テンプレートが、前記流体の異なる予想される速度に関し、かつ前記受信した超音波信号に関する波形を表すことと、
（ｃ）前記比較の結果に基づいて推定速度を求めることと、
を含む方法。
【請求項１１】
（ａ）が、
（ｉ）前記内腔内を流れる流体を介して超音波信号を送信することと、
（ｉｉ）前記超音波信号の反射、散乱または送信されたコピーを受信することと、
（ｉｉｉ）前記超音波信号の反射、散乱または送信されたコピーから前記測定信号を生成することと、
を含む、請求項１０に記載の方法。
【請求項１２】
（ａ）が、
（ｉ）前記内腔内を流れる流体を介して第１の超音波信号を第１の方向に送信することと、
（ｉｉ）前記第１の超音波信号の反射、散乱または送信されたコピーを受信することと、
（ｉｉｉ）前記流体を介して第２の超音波信号を第２の方向に送信することと、
（ｉｖ）前記第２の超音波信号の反射、散乱または送信されたコピーを受信することと、
（ｖ）前記第１の超音波信号の反射、散乱または送信されたコピーに基づく第１の測定信号および前記第２の超音波信号の反射、散乱または送信されたコピーに基づく第２の測定信号を生成することと、
を含み、
（ｃ）が、前記第１および第２の測定信号と前記複数のテンプレートのそれぞれとの比較を行うことおよび、前記第１および第２の測定信号と前記複数のテンプレートのそれぞれとの前記比較に基づいて前記流体の推定速度を求めることを含む、
請求項１０に記載の方法。
【請求項１３】
（ｂ）の前に、
前記複数のテンプレートを第１のサンプリング周波数で生成することと、
前記複数のテンプレートを、前記第１のサンプリング周波数よりも低い第２のサンプリング周波数でサンプリングすることと、
をさらに含む、請求項１０に記載の方法。
【請求項１４】
（ｂ）の前に、
前記測定信号に第１のランダムな波形を付加することと、
前記複数のテンプレートに第２のランダムな波形を付加することと、
をさらに含む、請求項１０に記載の方法。
【請求項１５】
（ｂ）が、前記測定信号および前記複数のテンプレートの少なくとも一方を補間することを含む、請求項１０に記載の方法。
【請求項１６】
前記推定速度または前記測定信号の表現をサーバに送信することをさらに含む、請求項１０に記載の方法。
【請求項１７】
流体流測定計の設置方法であって、前記流体流測定計が、内腔内を流れる流体の速度を測定し、前記速度を表す測定信号を供給するセンサと、複数のテンプレートを記憶するメモリであって、各テンプレートが前記流体の予想される速度に関し、かつ前記超音波信号に関する波形を表すメモリと、前記測定信号と前記複数のテンプレートのそれぞれとの比較を行って、前記比較の結果に基づいて前記速度を推定する、前記センサと前記メモリとに通信可能に結合されたプロセッサとを備えた方法において、前記内腔を規定する構造物の外側に前記流体流測定計を固定することを含む、方法。
【請求項１８】
前記速度を既知の値に設定することと、
前記流体流測定計を用いて推定速度を生成することと、
前記既知の値および前記推定速度に基づいて前記流体流測定計を較正することと、
をさらに含む、請求項１７に記載の方法。
【請求項１９】
前記既知の値および前記推定速度に基づいて前記内腔の推定直径を生成することをさらに含む、請求項１８に記載の方法。
【請求項２０】
前記推定直径と前記内腔または前記構造物の説明書とに基づいて前記内腔の直径を検証することをさらに含む、請求項１８に記載の方法。
【請求項２１】
前記複数のテンプレートが、前記受信した超音波信号に関する歪みを反映するようにフィルタリングされる、請求項１０に記載の方法。
【請求項２２】
前記複数のテンプレートが、前記検出した超音波信号に関する歪みを反映するようにフィルタリングされる、請求項１に記載の方法。